【事件の表示】
　特許第３１１６３００号「プリント回路基板用コネクタ」の請求項１、２に係る特許に対する特許異議の申立てについて、次のとおり決定する。
【結　論】
　訂正を認める。
　特許第３１１６３００号の請求項１ないし２に係る特許を維持する。
【理　由】
〔１〕手続の経緯
　特許第3116300号の請求項１、２に係る発明についての出願は、平成８年６月21日に特許出願され、平成12年10月６日にその発明についての特許権の設定登録がされ、その後、その特許について、異議申立人坂本聡より特許異議の申立てがされ、取消しの理由が通知され、その指定期間内である平成14年４月１日に訂正請求がされたものである。
　
〔２〕訂正の適否についての判断
(1)訂正の内容
　特許権者が求めている訂正の内容は、以下のａ〜ｆのとおりである。
　ア．訂正事項ａ
　特許請求の範囲の請求項１について、「上記リセプタクルコネクタ１の上面15及びプラグコネクタ２の上面25は、リセプタクルコネクタ１に対するプラグコネクタ２の嵌合時、互いに滑り合わされる対向面と成されることを特徴とするプリント回路基板用コネクタ。」を
　「上記リセプタクルコネクタ１の上面15及びプラグコネクタ２の上面25は、リセプタクルコネクタ１に対するプラグコネクタ２の嵌合時、互いに滑り合わされる対向面と成され、更に、上記プラグ受入溝13に対して上記挿入壁23が挿入されることで上記リセプタクルコネクタ１に対して上記プラグコネクタ２が嵌合接続された時、上記プラグコネクタ２のプラグハウジング21がリセプタクルコネクタ１のハウジング中央部11Aの上面11Aaに当接すると共にプラグコネクタ２の挿入壁23に形成された凹部Aが上記リセプタクル側端子に一体に形成された係合片Bに係合することを特徴とするプリント回路基板用コネクタ。」と訂正する。
　イ．訂正事項ｂ
　特許請求の範囲の請求項２について、「上記リセプタクルコネクタ１の上面15及びプラグコネクタ２の上面25は、リセプタクルコネクタ１に対するプラグコネクタ２の嵌合時、互いに滑り合わされる対向面と成されることを特徴とするプリント回路基板用コネクタ。」を
　「上記リセプタクルコネクタ１の上面15及びプラグコネクタ２の上面25は、リセプタクルコネクタ１に対するプラグコネクタ２の嵌合時、互いに滑り合わされる対向面と成され、更に、上記プラグ受入溝13に対して上記挿入壁23が挿入されることで上記リセプタクルコネクタ１に対して上記プラグコネクタ２が嵌合接続された時、上記プラグコネクタ２のプラグハウジング21がリセプタクルコネクタ１のハウジング中央部11Aの上面11Aaに当接すると共にプラグコネクタ２の挿入壁23に形成された凹部Aが上記リセプタクル側端子に一体に形成された係合片Bに係合することを特徴とするプリント回路基板用コネクタ。」と訂正する。
　ウ．訂正事項ｃ
　発明の詳細な説明の段落【0006】の「上記リセプタクルコネクタ１の上面15及びプラグコネクタ２の上面25は、リセプタクルコネクタ１に対するプラグコネクタ２の嵌合時、互いに滑り合わされる対向面と成されることを特徴とするプリント回路基板用コネクタである。」を
　「上記リセプタクルコネクタ１の上面15及びプラグコネクタ２の上面25は、リセプタクルコネクタ１に対するプラグコネクタ２の嵌合時、互いに滑り合わされる対向面と成され、更に、上記プラグ受入溝13に対して上記挿入壁23が挿入されることで上記リセプタクルコネクタ１に対して上記プラグコネクタ２が嵌合接続された時、上記プラグコネクタ２のプラグハウジング21がリセプタクルコネクタ１のハウジング中央部11Aの上面11Aaに当接すると共にプラグコネクタ２の挿入壁23に形成された凹部Aが上記リセプタクル側端子に一体に形成された係合片Bに係合することを特徴とするプリント回路基板用コネクタである。」と訂正する。
　エ．訂正事項ｄ
　発明の詳細な説明の段落【0007】の「上記リセプタクルコネクタ１の上面15及びプラグコネクタ２の上面25は、リセプタクルコネクタ１に対するプラグコネクタ２の嵌合時、互いに滑り合わされる対向面と成されることを特徴とするプリント回路基板用コネクタである。」を
　「上記リセプタクルコネクタ１の上面15及びプラグコネクタ２の上面25は、リセプタクルコネクタ１に対するプラグコネクタ２の嵌合時、互いに滑り合わされる対向面と成され、更に、上記プラグ受入溝13に対して上記挿入壁23が挿入されることで上記リセプタクルコネクタ１に対して上記プラグコネクタ２が嵌合接続された時、上記プラグコネクタ２のプラグハウジング21がリセプタクルコネクタ１のハウジング中央部11Aの上面11Aaに当接すると共にプラグコネクタ２の挿入壁23に形成された凹部Aが上記リセプタクル側端子に一体に形成された係合片Bに係合することを特徴とするプリント回路基板用コネクタである。」と訂正する。
　オ．訂正事項ｅ
　発明の詳細な説明の段落【0022】の「リセプタクルコネクタ１及びプラグコネクタ２の接続が良好に行なわれるものである。」を
　「リセプタクルコネクタ１及びプラグコネクタ２の接続が良好に行なわれ、更に、上記プラグ受入溝13に対して上記挿入壁23が挿入されることで上記リセプタクルコネクタ１に対して上記プラグコネクタ２が嵌合接続された時、上記プラグコネクタ２のプラグハウジング21がリセプタクルコネクタ１のハウジング中央部11Aの上面11Aaに当接すると共にプラグコネクタ２の挿入壁23に形成された凹部Aが上記リセプタクル側端子に一体に形成された係合片Bに係合するものである。」と訂正する。
　カ．訂正事項ｆ
　特許第3116300号明細書に添付の図面の内、図１、図２各々に凹部Aと係合片Bの符号を加入する。
　
(2)訂正の目的の適否、新規事項の有無及び拡張・変更の存否
　上記訂正事項ａに関連する記載として、図１には、リセプタクル側ハウジングの上面11Aa、プラグ側ハウジングの凹部平面が認められ、かつ、プラグ側ハウジングの側面に凹部Aが形成されたもの、リセプタクル側端子の係合片Bが形成されたものが認められ、図２には、リセプタクルハウジングの上面とプラグ側ハウジングの凹部平面が当接されたもの、及び前記凹部Aと前記係合片Bが係合したものが図示されているから、図１、２には、「上記プラグ受入溝13に対して上記挿入壁23が挿入されることで上記リセプタクルコネクタ１に対して上記プラグコネクタ２が嵌合接続された時、上記プラグコネクタ２のプラグハウジング21がリセプタクルコネクタ１のハウジング中央部11Aの上面11Aaに当接すると共にプラグコネクタ２の挿入壁23に形成された凹部Aが上記リセプタクル側端子に一体に形成された係合片Bに係合すること」が図示されているものと認める。
　そうすると、上記ａの訂正は、特許明細書に記載された事項の範囲内においてプリント回路基板用コネクタを限定したものであるから、特許請求の範囲の減縮に該当するものであり、新規事項の追加に該当しない。
　また、同様の理由により、上記訂正事項ｂも図１、２には、「上記プラグ受入溝13に対して上記挿入壁23が挿入されることで上記リセプタクルコネクタ１に対して上記プラグコネクタ２が嵌合接続された時、上記プラグコネクタ２のプラグハウジング21がリセプタクルコネクタ１のハウジング中央部11Aの上面11Aaに当接すると共にプラグコネクタ２の挿入壁23に形成された凹部Aが上記リセプタクル側端子に一体に形成された係合片Bに係合すること」が図示されているものと認める。
　そうすると、上記ｂの訂正は、特許明細書に記載された事項の範囲内においてプリント回路基板用コネクタを限定したものであるから、特許請求の範囲の減縮に該当するものであり、新規事項の追加に該当しない。
　上記訂正事項ｃ〜ｅは、上記訂正事項ａ、ｂの訂正にともない特許明細書の記載を整合するための訂正であるから、明りょうでない記載の釈明に該当するものであり、新規事項の追加に該当しない。
　訂正事項ｆは、図１、２の図から引き出し線で特定個所を指すものであるから、明りょうでない記載の釈明に該当するものであり、新規事項の追加に該当しない。
　そして、上記いずれの訂正も実質上特許請求の範囲を拡張し、又は変更するものでもない。
　
(3)むすび
　以上のとおりであるから、上記訂正は、特許法第120条の４第２項及び同条第３項において準用する同法第126条第２、３項の規定に適合するので、当該訂正を認める。
　
〔３〕特許異議申立てについての判断
　ア．本件発明１、２
　上記〔２〕で示したように上記訂正が認められるから、本件の請求項１、２に係る発明（以下、「本件発明１」、「本件発明２」という。）は、上記訂正に係る訂正明細書の特許請求の範囲の請求項１、２に記載された次の事項により特定されるとおりのものである。
「【請求項１】プラグコネクタ２を受け入れる為のプラグ受入溝13が形成されたリセプタクル側ハウジング11、及び上記プラグ受入溝13内に複数所定ピッチで装着されたリセプタクル側端子12から成り、一方のプリント回路基板17に実装されるリセプタクルコネクタ１と、上記プラグ受入溝13に挿入される挿入壁23が形成されたプラグ側ハウジング21、及び上記挿入壁23が画成する溝内に複数所定ピッチで装着されたプラグ側端子22から成り、他方のプリント回路基板27に実装されるプラグコネクタ２と、を備え、上記プラグ受入溝13に対して上記挿入壁23が挿入されることで上記リセプタクルコネクタ１に対してプラグコネクタ２が嵌合接続されるプリント回路基板用コネクタに於て、上記リセプタクルコネクタ１のプラグ受入溝13は、リセプタクルコネクタ１の上面15から見てロの字状に形成され、而も上記プラグ受入溝13が開口する側の上記リセプタクルコネクタ１の上面15は、上記ロの字状に形成されたプラグ受入溝13に囲まれた平面長方形のハウジング中央部11Aの段や凹凸のない平坦な上面11Aaと、上記プラグ受入溝13をとり囲み、上記ハウジング中央部11Aと同一高さとされたロの字状のハウジング周囲部11Bの段や凹凸のない平坦な上面11Baとにより成されていると共に、上記プラグコネクタ２の挿入壁23は、プラグコネクタ２の上面25から見てロの字状に形成され、而もプラグコネクタ２の上面25を成す上記挿入壁23の上面23Aa、23Baが、この挿入壁23に装着されたプラグ側端子22の上記上面25と平行に折曲された先部22Bを上記上面23Aa、23Ba内の段部に収容して、上記上面23Aa、23Baと上記先部22Bの上面22Baとの高さを揃えて、全体として段や凹凸のない平坦な面と成され、上記リセプタクルコネクタ１の上面15及びプラグコネクタ２の上面25は、リセプタクルコネクタ１に対するプラグコネクタ２の嵌合時、互いに滑り合わされる対向面と成され、更に、上記プラグ受入溝13に対して上記挿入壁23が挿入されることで上記リセプタクルコネクタ１に対して上記プラグコネクタ２が嵌合接続された時、上記プラグコネクタ２のプラグハウジング21がリセプタクルコネクタ１のハウジング中央部11Aの上面11Aaに当接すると共にプラグコネクタ２の挿入壁23に形成された凹部Aが上記リセプタクル側端子に一体に形成された係合片Bに係合することを特徴とするプリント回路基板用コネクタ。
【請求項２】プラグコネクタ２を受け入れる為のプラグ受入溝13が形成されたリセプタクル側ハウジング11、及び上記プラグ受入溝13内に複数所定ピッチで装着されたリセプタクル側端子12から成り、一方のプリント回路基板17に実装されるリセプタクルコネクタ１と、上記プラグ受入溝13に挿入される挿入壁23が形成されたプラグ側ハウジング21、及び上記挿入壁23が画成する溝内に複数所定ピッチで装着されたプラグ側端子22から成り、他方のプリント回路基板27に実装されるプラグコネクタ２と、を備え、上記プラグ受入溝13に対して上記挿入壁23が挿入されることで上記リセプタクルコネクタ１に対してプラグコネクタ２が嵌合接続されるプリント回路基板用コネクタに於て、上記リセプタクルコネクタ１のプラグ受入溝13は、リセプタクルコネクタ１の上面15から見てＯの字状に形成され、而も上記プラグ受入溝13が開口する側の上記リセプタクルコネクタ１の上面15は、上記Ｏの字状に形成されたプラグ受入溝13に囲まれた外形Ｏの字形のハウジング中央部11Aの段や凹凸のない平坦な上面11Aaと、上記プラグ受入溝13をとり囲み、上記ハウジング中央部11Aと同一高さとされたＯの字状のハウジング周囲部11Bの段や凹凸のない平坦な上面11Baとにより成されていると共に、上記プラグコネクタ２の挿入壁23は、プラグコネクタ２の上面25から見てＯの字状に形成され、而もプラグコネクタ２の上面25を成す上記挿入壁23の上面23Aa、23Baが、この挿入壁23に装着されたプラグ側端子22の上記上面25と平行に折曲された先部22Bを上記上面23Aa、23Ba内の段部に収容して、上記上面23Aa、23Baと上記先部22Bの上面22Baとの高さを揃えて、全体として段や凹凸のない平坦な面と成され、上記リセプタクルコネクタ１の上面15及びプラグコネクタ２の上面25は、リセプタクルコネクタ１に対するプラグコネクタ２の嵌合時、互いに滑り合わされる対向面と成され、更に、上記プラグ受入溝13に対して上記挿入壁23が挿入されることで上記リセプタクルコネクタ１に対して上記プラグコネクタ２が嵌合接続された時、上記プラグコネクタ２のプラグハウジング21がリセプタクルコネクタ１のハウジング中央部11Aの上面11Aaに当接すると共にプラグコネクタ２の挿入壁23に形成された凹部Aが上記リセプタクル側端子に一体に形成された係合片Bに係合することを特徴とするプリント回路基板用コネクタ。」
　
　イ．申立ての概要
　特許異議申立人坂本聡は、本件発明１、２は、甲第１〜３号証に記載された発明に基づいて当業者が容易に発明をすることができたものであるから、特許法第29条第２項の規定により特許を受けることができないものであると主張している。
　
　ウ．甲号各証に記載された発明
　甲第１号証（特開平5-303988号公報）には、コネクタに関して、図１〜５とともに以下の事項が記載されている。
(1)「Aはソケットで、直方体状で有底箱型の絶縁体A1の底部中央に長手方向に沿って複数本をそれぞれ１列に並べたコンタクトA2,A3が２列に貫通して列設され、その２列のコンタクトA2,A3の列間に絶縁壁A4が絶縁体A1と一体に立設されている。そして、２列のコンタクトA2,A3の四方を外囲する外周壁A5の内側に堀状の空間A6が形成されている。」（段落【0003】）
(2)「Bはプラグで、ソケットAの堀状の空間A6に嵌挿可能な外周壁B5を有した直方体状で有底箱型の絶縁体B1が形成され、その絶縁体B1の底部にはソケットAの２列のコンタクトA2,A3と互いに接触離反可能な２列のコンタクトB2,B3が貫通して列設され、従ってその２列のコンタクトB2,B3の列間には空間B4が形成されている。」（段落【0004】）
(3)「プラグBの外周壁B5がソケットAの空間A6に嵌挿するようプラグBをソケットAに挿入して行くと、２列のコンタクトA2,A3及びコンタクトB2,B3がそれぞれ接触して電気的に接続されるとともに、プラグBの空間B4にソケットAの絶縁壁A4が挿着されて列間の絶縁性を確保し、また逆にプラグBをソケットAから抜くと、２列のコンタクトA2,A3及びコンタクトB2,B3は離反して電気的に接続が絶たれる。」（段落【0005】）
(4)「１はソケットで、直方体状で有底箱型の絶縁体1aの有底中央に長手方向に沿って複数本をそれぞれ１列に並べたコンタクト1b,1cが２列に貫通して列設され、その２列のコンタクト1b,1cの列間に渡っては、中央に細長い溝部1eを有する絶縁壁1dが絶縁体1aと一体に立設されるとともに、２列のコンタクト1b,1cの四方を外囲する外周壁1fの内側に堀状の空間1gが形成され」（ている。）（段落【0011】）
(5)「このソケット１は、プリント基板に搭載され、シールド部材11の接続端子11bが電気的に接地されている。」（段落【0013】）
(6)「２はプラグで、ソケット１の堀状の空間1gの嵌挿可能な外周壁2dを有した直方体状で有底箱型の絶縁体2aが形成され、その絶縁体2aの底部にはソケット１の２列のコンタクト1b,1cと互いに接触離反可能な２列のコンタクト2b,2cが貫通して列設される」（段落【0014】）
(6)「このプラグ２は、プリント基板に搭載され、シールド部材21の接続端子21aが電気的に接地されている。」（段落【0016】）
(7)「このソケット１及び２は、矢示するように、プラグ２の外周壁2dがソケット１の空間1gに嵌挿するようにプラグ２をソケット１に挿入して行くと、図２に示すように、２列のコンタクト1b,1c及びコンタクト2b,2cがそれぞれ接触して電気的に接続される」（段落【0017】）
　
　甲第２号証（特開平8-148240号公報）には、コネクタに関して、図１〜13とともに、以下の事項が記載されている。
(8)「プラグコネクタ１は、プラグハウジング３及びその表面に所定間隔で形成された多数の導体パターン４を有する。また、リセプタクルコネクタ２の弾性を有するコンタクト22と接触するコンタクト部７と、基板５のランド６に半田付け接続される半田付け部８とを有する。」（段落【0011】）
(9)「リセプタクルコネクタ２は、弾性及び導電性を有するコンタクトとして銅合金等の金属からなるばねコンタクト22を有する。」（段落【0015】）
(10)「プラグコネクタ１及びリセプタクルコネクタ２の嵌合時には、プラグコネクタ１のコンタクト部７がリセプタクルハウジング21の凹部24内に挿入され、ばねコンタクト22の接触部23がコンタクト部７の導体パターン４に対してワイピングしながら接触することにより電気的接続が得られる。これにより、２枚の基板５、５が相互に接続される。」（段落【0016】）
(11)「図６のプラグコネクタ11が図１のプラグコネクタ１と異なるのは、プラグハウジング13が底部15に連続する側壁16を有する点である。」（段落【0024】）
(12)「図９において、リセプタクルコネクタ20のハウジング21は、底壁のない側壁のみで形成される枠状をなす。」（段落【0027】）
　
　甲第３号証（登録実用新案第3025323号公報）には、電気コネクタに関して、図１〜９とともに以下の事項が記載されている。
(13)「本考案の電気コネクタ１は、プリント回路基板Pに実装されて使用されるリセプタクル電気コネクタであって、ハウジング２とハウジング２に横並びに配設された複数の端子３より成るものであり、上記複数の端子３は、コンタクト部12とテール部13を有し、ハウジング２を構成する左右側壁４と底壁５によって形成されたプラグ電気コネクタ31の挿入空間６内の端子支持体９によって支持されているものである。」（【考案の詳細な説明】の段落【0010】）
(14)「さらに、上記電気コネクタ１に接合されるプラグ電気コネクタ31は、図６,図７に示した様に、ハウジング32とハウジング32に横並びに配設された複数の端子33より成るものであって、上記複数の端子33は、コンタクト部39とテール部40を有して成り、ハウジング32を構成する左右側壁34と底壁35によって囲まれる嵌合空間36内に配設されて」（いる）（同段落【0014】）
(15)「そして、プリント回路基盤Pに装着された電気コネクタ１に対してプラグ電気コネクタ31を接合した状態を示したのが図８であって、電気コネクタ１の挿入空間６にプラグ電気コネクタ31の左右側壁34を挿入すると同時に、プラグ電気コネクタ31の嵌合空間36に電気コネクタ１の端子保持体９を嵌合させ、電気コネクタ１の複数の端子３のコンタクト部12とプラグ電気コネクタ31の複数の端子33のコンタクト部39とを接触させ、電気的な接続が行われるものである。」（同段落【0019】）
　
　エ．対比・判断
（本件発明１について）
　本件発明１と甲第１号証に記載された発明を対比すると、後者の「プラグB」、「空間A6」、「絶縁体A1」、「コンタクトA2,A3」、「プリント基板」、「ソケットA」、「コンタクトB2,B3」は、それぞれ前者の「プラグコネクタ２」、「プラグ受入溝13」、「リセプタクル側ハウジング11」、「リセプタクル側端子12」、「プリント回路基板17」、「リセプタクルコネクタ１」、「プラグ側端子22」に相当するものと認められるから、
　両者は、
「プラグコネクタ２を受け入れる為のプラグ受入溝13が形成されたリセプタクル側ハウジング11、及び上記プラグ受入溝13内に複数所定ピッチで装着されたリセプタクル側端子12から成り、一方のプリント回路基板17に実装されるリセプタクルコネクタ１と、上記プラグ受入溝13に挿入される挿入壁23が形成されたプラグ側ハウジング21、及び上記挿入壁23が画成する溝内に複数所定ピッチで装着されたプラグ側端子22から成り、プラグコネクタ２と、を備え、上記プラグ受入溝13に対して上記挿入壁23が挿入されることで上記リセプタクルコネクタ１に対してプラグコネクタ２が嵌合接続されるプリント回路基板用コネクタに於て、上記リセプタクルコネクタ１のプラグ受入溝13は、リセプタクルコネクタ１の上面15から見てロの字状に形成され、而も上記プラグ受入溝13が開口する側の上記リセプタクルコネクタ１の上面15は、上記ロの字状に形成されたプラグ受入溝13に囲まれた平面長方形のハウジング中央部11Aの段や凹凸のない平坦な上面11Aaと、上記プラグ受入溝13をとり囲み、上記ハウジング中央部11Aと同一高さとされたロの字状のハウジング周囲部11Bの段や凹凸のない平坦な上面11Baとにより成されていると共に、上記プラグコネクタ２の挿入壁23は、プラグコネクタ２の上面25から見てロの字状に形成され、而もプラグコネクタ２の上面25を成す上記挿入壁23の上面23Aa、23Baが、この挿入壁23に装着されたプラグ側端子22の上記上面25と平行に折曲された先部22Bを上記上面23Aa、23Ba内の段部に収容して、上記上面23Aa、23Baと上記先部22Bの上面22Baとの高さを揃えて、全体として段や凹凸のない平坦な面と成され、上記リセプタクルコネクタ１の上面15及びプラグコネクタ２の上面25は、リセプタクルコネクタ１に対するプラグコネクタ２の嵌合時、互いに滑り合わされる対向面と成され、更に、上記プラグ受入溝13に対して上記挿入壁23が挿入されることで上記リセプタクルコネクタ１に対して上記プラグコネクタ２が嵌合接続された時、上記プラグコネクタ２のプラグハウジング21がリセプタクルコネクタ１のハウジング中央部11Aの上面11Aaに当接することを特徴とするプリント回路基板用コネクタ」の点で一致しており、
(1)プラグコネクタ２において、前者は、プリント回路基板27に実装されているのに対して、後者は、プリント回路基板に実装されているかどうか不明である点、
(2)リセプタクルコネクタ１に対してプラグコネクタ２が嵌合接続された時、前者は、プラグコネクタ２の挿入壁23に形成された凹部Aがリセプタクル側端子に一体に形成された係合片Bに係合するようにしたのに対し、後者は、そのような構成を有しない点、
　で相違している。
　上記相違点について検討すると、上記相違点(1)は、甲第２号証の図７の基板５、５及び甲第３号証の図８のプリント回路基盤P、Pに見られるように周知技術であり、格別のものではない。
　しかしながら、上記相違点(2)は、甲第２号証、甲第３号証を参照しても、そのような構造を有するものは見当たらない。
　確かに、甲第３号証の図８に記載されたものは、ロック片37及び穴部７、８を有し係合するようになっているが、このものはコネクタハウジングの左右側壁に設けた穴部７、８とプラグコネクタ31の側壁に設けたロック片37を係合するものであって、本件発明１の「プラグコネクタ２の挿入壁23に形成された凹部Aがリセプタクル側端子に一体に形成された係合片Bに係合する」構成とは係合相手が異なっており、当業者といえども前記構成が容易に想到しうるものとはいえない。
　
（本件発明２について）
　本件発明２と甲第１号証に記載された発明を対比すると、上記本件発明１について検討した上記相違点(1)、(2)の他に、
(3)リセプタクルコネクタ１のプラグ受入溝13及びプラグコネクタ２の挿入壁23の上面15から見て、前者は、Ｏの字状に形成されているのに対し、後者はロの字状に形成されている点で相違し、
　その他の点で両者は一致しているものと認める。
　確かに、上記相違点(3)のＯの字状にするか、ロの字状にするかは、当業者が適宜なしうる設計的事項であるものと認められる。
　しかしながら、本件発明２と甲第１〜３号証に記載のものとの間には、上述のとおりの相違点(2)があり、当業者といえども「プラグコネクタ２の挿入壁23に形成された凹部Aがリセプタクル側端子に一体に形成された係合片Bに係合するようにした」点は容易に想到できたものと認めることはできない。
　
〔４〕むすび
　以上のとおりであるから、特許異議申立ての理由及び証拠によっては、本件発明１、２に係る特許を取り消すことはできない。
　また、他に本件発明１、２に係る特許を取り消すべき理由を発見しない。
　よって、結論のとおり決定する。
【異議決定日】
平成１４年５月２１日（２００２．５．２１）
【訂正の要旨】
　ア．訂正事項ａ
　特許請求の範囲の請求項１について、「上記リセプタクルコネクタ１の上面１５及びプラグコネクタ２の上面２５は、リセプタクルコネクタ１に対するプラグコネクタ２の嵌合時、互いに滑り合わされる対向面と成されることを特徴とするプリント回路基板用コネクタ。」を
　「上記リセプタクルコネクタ１の上面１５及びプラグコネクタ２の上面２５は、リセプタクルコネクタ１に対するプラグコネクタ２の嵌合時、互いに滑り合わされる対向面と成され、更に、上記プラグ受入溝１３に対して上記挿入壁２３が挿入されることで上記リセプタクルコネクタ１に対して上記プラグコネクタ２が嵌合接続された時、上記プラグコネクタ２のプラグハウジング２１がリセプタクルコネクタ１のハウジング中央部１１Ａの上面１１Ａａに当接すると共にプラグコネクタ２の挿入壁２３に形成された凹部Ａが上記リセプタクル側端子に一体に形成された係合片Ｂに係合することを特徴とするプリント回路基板用コネクタ。」と訂正する。
　イ．訂正事項ｂ
　特許請求の範囲の請求項２について、「上記リセプタクルコネクタ１の上面１５及びプラグコネクタ２の上面２５は、リセプタクルコネクタ１に対するプラグコネクタ２の嵌合時、互いに滑り合わされる対向面と成されることを特徴とするプリント回路基板用コネクタ。」を
　「上記リセプタクルコネクタ１の上面１５及びプラグコネクタ２の上面２５は、リセプタクルコネクタ１に対するプラグコネクタ２の嵌合時、互いに滑り合わされる対向面と成され、更に、上記プラグ受入溝１３に対して上記挿入壁２３が挿入されることで上記リセプタクルコネクタ１に対して上記プラグコネクタ２が嵌合接続された時、上記プラグコネクタ２のプラグハウジング２１がリセプタクルコネクタ１のハウジング中央部１１Ａの上面１１Ａａに当接すると共にプラグコネクタ２の挿入壁２３に形成された凹部Ａが上記リセプタクル側端子に一体に形成された係合片Ｂに係合することを特徴とするプリント回路基板用コネクタ。」と訂正する。
　ウ．訂正事項ｃ
　発明の詳細な説明の段落【０００６】の「上記リセプタクルコネクタ１の上面１５及びプラグコネクタ２の上面２５は、リセプタクルコネクタ１に対するプラグコネクタ２の嵌合時、互いに滑り合わされる対向面と成されることを特徴とするプリント回路基板用コネクタである。」を
　「上記リセプタクルコネクタ１の上面１５及びプラグコネクタ２の上面２５は、リセプタクルコネクタ１に対するプラグコネクタ２の嵌合時、互いに滑り合わされる対向面と成され、更に、上記プラグ受入溝１３に対して上記挿入壁２３が挿入されることで上記リセプタクルコネクタ１に対して上記プラグコネクタ２が嵌合接続された時、上記プラグコネクタ２のプラグハウジング２１がリセプタクルコネクタ１のハウジング中央部１１Ａの上面１１Ａａに当接すると共にプラグコネクタ２の挿入壁２３に形成された凹部Ａが上記リセプタクル側端子に一体に形成された係合片Ｂに係合することを特徴とするプリント回路基板用コネクタである。」と訂正する。
　エ．訂正事項ｄ
　発明の詳細な説明の段落【０００７】の「上記リセプタクルコネクタ１の上面１５及びプラグコネクタ２の上面２５は、リセプタクルコネクタ１に対するプラグコネクタ２の嵌合時、互いに滑り合わされる対向面と成されることを特徴とするプリント回路基板用コネクタである。」を
　「上記リセプタクルコネクタ１の上面１５及びプラグコネクタ２の上面２５は、リセプタクルコネクタ１に対するプラグコネクタ２の嵌合時、互いに滑り合わされる対向面と成され、更に、上記プラグ受入溝１３に対して上記挿入壁２３が挿入されることで上記リセプタクルコネクタ１に対して上記プラグコネクタ２が嵌合接続された時、上記プラグコネクタ２のプラグハウジング２１がリセプタクルコネクタ１のハウジング中央部１１Ａの上面１１Ａａに当接すると共にプラグコネクタ２の挿入壁２３に形成された凹部Ａが上記リセプタクル側端子に一体に形成された係合片Ｂに係合することを特徴とするプリント回路基板用コネクタである。」と訂正する。
　オ．訂正事項ｅ
　発明の詳細な説明の段落【００２２】の「リセプタクルコネクタ１及びプラグコネクタ２の接続が良好に行われるものである。」を
　「リセプタクルコネクタ１及びプラグコネクタ２の接続が良好に行われ、更に、上記プラグ受入溝１３に対して上記挿入壁２３が挿入されることで上記リセプタクルコネクタ１に対して上記プラグコネクタ２が嵌合接続された時、上記プラグコネクタ２のプラグハウジング２１がリセプタクルコネクタ１のハウジング中央部１１Ａの上面１１Ａａに当接すると共にプラグコネクタ２の挿入壁２３に形成された凹部Ａが上記リセプタクル側端子に一体に形成された係合片Ｂに係合するものである。」と訂正する。
　カ．訂正事項ｆ
　特許第３１１６３００号明細書に添付の図面の内、図１、図２各々に凹部Ａと係合片Ｂの符号を加入する。
（５４）【発明の名称】
プリント回路基板用コネクタ
（５７）【特許請求の範囲】
　【請求項１】　プラグコネクタ２を受け入れる為のプラグ受入溝１３が形成されたリセプタクル側ハウジング１１、及び上記プラグ受入溝１３内に複数所定ピッチで装着されたリセプタクル側端子１２から成り、一方のプリント回路基板１７に実装されるリセプタクルコネクタ１と、上記プラグ受入溝１３に挿入される挿入壁２３が形成されたプラグ側ハウジング２１、及び上記挿入壁２３が画成する溝内に複数所定ピッチで装着されたプラグ側端子２２から成り、他方のプリント回路基板２７に実装されるプラグコネクタ２と、を備え、上記プラグ受入溝１３に対して上記挿入壁２３が挿入されることで上記リセプタクルコネクタ１に対してプラグコネクタ２が嵌合接続されるプリント回路基板用コネクタに於て、
　上記リセプタクルコネクタ１のプラグ受入溝１３は、リセプタクルコネクタ１の上面１５から見てロの字状に形成され、而も上記プラグ受入溝１３が開口する側の上記リセプタクルコネクタ１の上面１５は、上記ロの字状に形成されたプラグ受入溝１３に囲まれた平面長方形のハウジング中央部１１Ａの段や凹凸のない平坦な上面１１Ａａと、上記プラグ受入溝１３をとり囲み、上記ハウジング中央部１１Ａと同一高さとされたロの字状のハウジング周囲部１１Ｂの段や凹凸のない平坦な上面１１Ｂａとにより成されていると共に、
　上記プラグコネクタ２の挿入壁２３は、プラグコネクタ２の上面２５から見てロの字状に形成され、而もプラグコネクタ２の上面２５を成す上記挿入壁２３の上面２３Ａａ、２３Ｂａが、この挿入壁２３に装着されたプラグ側端子２２の上記上面２５と平行に折曲された先部２２Ｂを上記上面２３Ａａ、２３Ｂａ内の段部に収容して、上記上面２３Ａａ、２３Ｂａと上記先部２２Ｂの上面２２Ｂａとの高さを揃えて、全体として段や凹凸のない平坦な面と成され、
　上記リセプタクルコネクタ１の上面１５及びプラグコネクタ２の上面２５は、リセプタクルコネクタ１に対するプラグコネクタ２の嵌合時、互いに滑り合わされる対向面と成され、
更に、上記プラグ受入溝１３に対して上記挿入壁２３が挿入されることで上記リセプタクルコネクタ１に対して上記プラグコネクタ２が嵌合接続された時、上記プラグコネクタ２のプラグハウジング２１がリセプタクルコネクタ１のハウジング中央部１１Ａの上面１１Ａａに当接すると共にプラグコネクタ２の挿入壁２３に形成された凹部Ａが上記リセプタクル側端子に一体に形成された係合片Ｂに係合す
　【請求項２】　プラグコネクタ２を受け入れる為のプラグ受入溝１３が形成されたリセプタクル側ハウジング１１、及び上記プラグ受入溝１３内に複数所定ピッチで装着されたリセプタクル側端子１２から成り、一方のプリント回路基板１７に実装されるリセプタクルコネクタ１と、上記プラグ受入溝１３に挿入される挿入壁２３が形成されたプラグ側ハウジング２１、及び上記挿入壁２３が画成する溝内に複数所定ピッチで装着されたプラグ側端子２２から成り、他方のプリント回路基板２７に実装されるプラグコネクタ２と、を備え、上記プラグ受入溝１３に対して上記挿入壁２３が挿入されることで上記リセプタクルコネクタ１に対してプラグコネクタ２が嵌合接続されるプリント回路基板用コネクタに於て、
　上記リセプタクルコネクタ１のプラグ受入溝１３は、リセプタクルコネクタ１の上面１５から見てＯの字状に形成され、而も上記プラグ受入溝１３が開口する側の上記リセプタクルコネクタ１の上面１５は、上記Ｏの字状に形成されたプラグ受入溝１３に囲まれた外形Ｏの字形のハウジング中央部１１Ａの段や凹凸のない平坦な上面１１Ａａと、上記プラグ受入溝１３をとり囲み、上記ハウジング中央部１１Ａと同一高さとされたＯの字状のハウジング周囲部１１Ｂの段や凹凸のない平坦な上面１１Ｂａとにより成されていると共に、
　上記プラグコネクタ２の挿入壁２３は、プラグコネクタ２の上面２５から見てＯの字状に形成され、而もプラグコネクタ２の上面２５を成す上記挿入壁２３の上面２３Ａａ、２３Ｂａが、この挿入壁２３に装着されたプラグ側端子２２の上記上面２５と平行に折曲された先部２２Ｂを上記上面２３Ａａ、２３Ｂａ内の段部に収容して、上記上面２３Ａａ、２３Ｂａと上記先部２２Ｂの上面２２Ｂａとの高さを揃えて、全体として段や凹凸のない平坦な面と成され、
　上記リセプタクルコネクタ１の上面１５及びプラグコネクタ２の上面２５は、リセプタクルコネクタに対するプラグコネクタ２の嵌合時、互いに滑り合わされる対向面と成され、
更に、上記プラグ受入溝１３に対して上記挿入壁２３が挿入されることで上記リセプタクルコネクタ１に対して上記プラグコネクタ２が嵌合接続された時、上記プラグコネクタ２のプラグハウジング２１がリセプタクルコネクタ１のハウジング中央部１１Ａの上面１１Ａａに当接すると共にプラグコネクタ２の挿入壁２３に形成された凹部Ａが上記リセプタクル側端子に一体に形成された係合片Ｂに係合す
【発明の詳細な説明】
　【０００１】
　【発明の属する技術分野】
　本発明はプリント回路基板用コネクタに係り、更に詳しくは、一方のプリント回路基板と他方のプリント回路基板とを接続する為のコネクタに関する。
　【０００２】
　【従来の技術】
　周知の通り、一方のプリント回路基板と他方のプリント回路基板とを電気的に接続する為のプリント回路基板用コネクタがある。上記一方のプリント回路基板及び他方のプリント回路基板には、リセプタクルコネクタ及びプラグコネクタがそれぞれ実装され、上記リセプタクルコネクタとプラグコネクタとが機械的及び電気的に接続されることで上記一方のプリント回路基板と他方のプリント回路基板とが電気的に接続される。
　【０００３】
　所で、上記リセプタクルコネクタとプラグコネクタとの接続に着目すると、上記リセプタクルコネクタに対してプラグコネクタが嵌合することで互いに接続されるものであるが、これらのコネクタの互いの嵌合位置を探すようにする為、従来位置決め手段を有していたが、その具体的な一例を上げると、上記リセプタクルコネクタ及びプラグコネクタの互いの対向面に、各々凸状又は凹状部分が形成されていた。
　【０００４】
　【発明が解決しようとする課題】
　上記従来技術によると、上記リセクタクルコネクタ及びプラグコネクタを接続する際に、これらリセプタクルコネクタ及びプラグコネクタを見ながら接続作業が行なえる場合には、上記凹凸状の位置決め手段が有効である。しかしながら、上記各コネクタがプリント回路基板上にそれぞれ予め実装されていて、これらのコネクタを互いに嵌合させるとき、上記各コネクタが上記プリント回路基板に隠れて見えなくなる場合には、上記凹凸状の位置決め手段がよく見えず、接続作業が困難となるものであった。
　【０００５】
　従って、本発明の目的とする所は、上記一方及び他方のプリント回路基板にそれぞれ実装されたリセプタクルコネクタ及びプラグコネクタが、嵌合時にプリント回路基板によって見えない状態であっても互いの嵌合接続が容易で、能率良く行なえる技術を提供するにある。
　【０００６】
　【課題を解決するための手段】
　上記目的を達成する為に、本発明は次の技術的手段を有する。即ち、実施例に対応する添付図面中の符号を用いてこれを説明すると、本発明はプラグコネクタ２を受け入れる為のプラグ受入溝１３が形成されたリセプタクル側ハウジング１１、及び上記プラグ受入溝１３内に複数所定ピッチで装着されたリセプタクル側端子１２から成り、一方のプリント回路基板１７に実装されるリセプタクルコネクタ１と、上記プラグ受入溝１３に挿入される挿入壁２３が形成されたプラグ側ハウジング２１、及び上記挿入壁２３が画成する溝内に複数所定ピッチで装着されたプラグ側端子２２から成り、他方のプリント回路基板２７に実装されるプラグコネクタ２と、を備え、上記プラグ受入溝１３に対して上記挿入壁２３が挿入されることで上記リセプタクルコネクタ１に対してプラグコネクタ２が嵌合接続されるプリント回路基板用コネクタに於て、
　上記リセプタクルコネクタ１のプラグ受入溝１３は、リセプタクルコネクタ１の上面１５から見てロの字状に形成され、而も上記プラグ受入溝１３が開口する側の上記リセプタクルコネクタ１の上面１５は、上記ロの字状に形成されたプラグ受入溝１３に囲まれた平面長方形のハウジング中央部１１Ａの段や凹凸のない平坦な上面１１Ａａと、上記プラグ受入溝１３をとり囲み、上記ハウジング中央部１１Ａと同一高さとされたロの字状のハウジング周囲部１１Ｂの段や凹凸のない平坦な上面１１Ｂａとにより成されていると共に、
　上記プラグコネクタ２の挿入壁２３は、プラグコネクタ２の上面２５から見てロの字状に形成され、而もプラグコネクタ２の上面２５を成す上記挿入壁２３の上面２３Ａａ、２３Ｂａが、この挿入壁２３に装着されたプラグ側端子２２の上記上面２５と平行に折曲された先部２２Ｂを上記上面２３Ａａ、２３Ｂａ内の段部に収容して、上記上面２３Ａａ、２３Ｂａと上記先部２２Ｂの上面２２Ｂａとの高さを揃えて、全体として段や凹凸のない平坦な面と成され、
　上記リセプタクルコネクタ１の上面１５及びプラグコネクタ２の上面２５は、リセプタクルコネクタ１に対するプラグコネクタ２の嵌合時、互いに滑り合わされる対向面と成され、
更に、上記プラグ受入溝１３に対して上記挿入壁２３が挿入されることで上記リセプタクルコネクタ１に対して上記プラグコネクタ２が嵌合接続された時、上記プラグコネクタ２のプラグハウジング２１がリセプタクルコネクタ１のハウジング中央部１１Ａの上面１１Ａａに当接すると共にプラグコネクタ２の挿入壁２３に形成された凹部Ａが上記リセプタクル側端子に一体に形成された係合片Ｂに係合す
　【０００７】
　また、プラグコネクタ２を受け入れる為のプラグ受入溝１３が形成されたリセプタクル側ハウジング１１、及び上記プラグ受入溝１３内に複数所定ピッチで装着されたリセプタクル側端子１２から成り、一方のプリント回路基板１７に実装されるリセプタクルコネクタ１と、上記プラグ受入溝１３に挿入される挿入壁２３が形成されたプラグ側ハウジング２１、及び上記挿入壁２３が画成する溝内に複数所定ピッチで装着されたプラグ側端子２２から成り、他方のプリント回路基板２７に実装されるプラグコネクタ２と、を備え、上記プラグ受入溝１３に対して上記挿入壁２３が挿入されることで上記リセプタクルコネクタ１に対してプラグコネクタ２が嵌合接続されるプリント回路基板用コネクタに於て、
　上記リセプタクルコネクタ１のプラグ受入溝１３は、リセプタクルコネクタ１の上面１５から見てＯの字状に形成され、而も上記プラグ受入溝１３が開口する側の上記リセプタクルコネクタ１の上面１５は、上記Ｏの字状に形成されたプラグ受入溝１３に囲まれた外形Ｏの字形のハウジング中央部１１Ａの段や凹凸のない平坦な上面１１Ａａと、上記プラグ受入溝１３をとり囲み、上記ハウジング中央部１１Ａと同一高さとされたＯの字状のハウジング周囲部１１Ｂの段や凹凸のない平坦な上面１１Ｂａとにより成されていると共に、
　上記プラグコネクタ２の挿入壁２３は、プラグコネクタ２の上面２５から見てＯの字状に形成され、而もプラグコネクタ２の上面２５を成す上記挿入壁２３の上面２３Ａａ、２３Ｂａが、この挿入壁２３に装着されたプラグ側端子２２の上記上面２５と平行に折曲された先部２２Ｂを上記上面２３Ａａ、２３Ｂａ内の段部に収容して、上記上面２３Ａａ、２３Ｂａと上記先部２２Ｂの上面２２Ｂａとの高さを揃えて、全体として段や凹凸のない平坦な面と成され、
　上記リセプタクルコネクタ１の上面１５及びプラグコネクタ２の上面２５は、リセプタクルコネクタ１に対するプラグコネクタ２の嵌合時、互いに滑り合わされる対向面と成され、
更に、上記プラグ受入溝１３に対して上記挿入壁２３が挿入されることで上記リセプタクルコネクタ１に対して上記プラグコネクタ２が嵌合接続された時、上記プラグコネクタ２のプラグハウジング２１がリセプタクルコネクタ１のハウジング中央部１１Ａの上面１１Ａａに当接すると共にプラグコネクタ２の挿入壁２３に形成された凹部Ａが上記リセプタクル側端子に一体に形成された係合片Ｂに係合す
　【０００８】
　【発明の実施の形態】
　次に、本発明の実施の形態を実施例にもとづき図面を参照して説明する。図３から図６を参照してリセプタクルコネクタ１に着目すると、長方体形状のリセプタクル側ハウジング１１と、このリセプタクル側ハウジング１１に装着されたリセプタクル側端子１２とを備える。
　【０００９】
　上記リセプタクル側ハウジング１１は、上記リセプタクルコネクタ１の上面１５から見てロの字状のプラグ受入溝１３が形成されている。上記プラグ受入溝１３は、後述するプラグコネクタ２を受け入れる為の溝であり、左右の受入溝１３Ａ、１３Ｂと、この左右の受入溝１３Ａ、１３Ｂに連続する前後の受入溝１３Ｃ、１３Ｄとに区分される。上記左右の受入溝１３Ａ、１３Ｂには、この左右の受入溝１３Ａ、１３Ｂが延びる方向に沿って上記リセプタクル側端子１２が所定ピッチで装着されていて、後述するプラグコネクタ２のプラグ側端子２２と接続可能に嵌っている。そして、上記リセプタクル側端子１２のテ−ル１２Ａは、上記リセプタクル側ハウジング１１の下部から突出している。
　【００１０】
　上記リセプタクル側ハウジング１１は、上記プラグ受入溝１３によって、プラグ受入溝１３に囲まれた平面長方形のハウジング中央部１１Ａと、プラグ受入溝１３をとり囲むハウジング中央部１１Ａと同一高さのハウジング周囲部１１Ｂとに区画されている。ハウジング周囲部１１Ｂは上面１５から見てロの字状をしている。そして、上記プラグ受入溝１３が開口する側であるリセプタクルコネクタ１の上面１５は、段や凹凸のない平坦な面と成されている。詳しくは、上記ハウジング中央部１１Ａの上面１１Ａａ及びハウジング周囲部１１Ｂの上面１１Ｂａは、それぞれ段や凹凸のない平坦な面と成されていて、それぞれの上面１１Ａａ、１１Ｂａは同一平面と成されていると共に、上記リセプタクルコネクタ１の高さＨは、リセプタクルコネクタ１のどの部分でも同一高さＨを有する。
　【００１１】
　つまり、上記リセプタクルコネクタ１は、段や凹凸がない平坦な上面１５を有し、この平坦な上面１５から窪む状態で上記ロの字状のプラグ受入溝１３が形成されている。
　【００１２】
　次に、図７から図１０を参照してプラグコネクタ２に着目すると、長方体形状のプラグ側ハウジング２１と、このプラグ側ハウジング２１に装着されたプラグ側端子２２とを備える。
　【００１３】
　上記プラグ側ハウジング２１は、上記プラグコネクタ２の上面２５から見てロの字状の挿入壁２３が形成されていて、この挿入壁２３がプラグ側ハウジング２１の外形を形成している。上記挿入壁２３は、前述したプラグ受入溝１３に挿入される部分であり、左右の壁２３Ａ、２３Ｂと、この左右の壁２３Ａ、２３Ｂに連続する前後の壁２３Ｃ、２３Ｄとに区分される。
　【００１４】
　上記挿入壁２３に囲まれる内側にはリセプタクル受入溝２４が画成されている。上記リセプタクル受入溝２４は、上記リセプタクルコネクタ１のリセプタクル側ハウジング１１のハウジング中央部１１Ａが位置する溝である。上記リセプタクル受入溝２４には、上記左右の壁２３Ａ、２３Ｂのそれぞれに沿う状態で２列にプラグ側端子２２が複数所定ピッチで装着されていて、上記リセプタクル側端子１２と接続可能に位置している。そして、上記プラグ側端子２２のテ−ル２２Ａは、上記プラグ側ハウジング２１の下部から突出していると共に、プラグ側端子２２の上記上面２５と平行となるように折曲された先部２２Ｂは、左右の壁２３Ａ、２３Ｂの上面２３Ａａ、２３Ｂａ上に位置している。
　【００１５】
　そして、上記プラグコネクタ２の上面２５は、平坦な面と成されている。詳しくは、上記挿入壁２３の前後の壁２３Ｃ、２３Ｄの上面２３Ｃａ、２３Ｄａと上記プラグ側端子２２の先部２２Ｂの上面２２Ｂａとは平坦な同一面内にあると共に、上記プラグコネクタ２の高さＴは、プラグコネクタ２のどの部分でも同一高さＴを有する。
　【００１６】
　つまり、上記プラグコネクタ２は、上記リセプタクルコネクタ１のプラグ受入溝１３に嵌る挿入壁２３がロの字状に形成されていて、その上面２５が、段や凹凸がない平坦な面と成されている。
　【００１７】
　尚、上記挿入壁２３の左右の壁２３Ａ、２３Ｂと、上記プラグ側端子２２の先部２２Ｂとの関係に於ては、上記左右の壁２３Ａ、２３Ｂの上面２３Ａａ、２３Ｂａに上記プラグ側端子２２の先部２２Ｂが嵌る複数の段部を形成し、この段部に上記プラグ側端子２２の先部２２Ｂをそれぞれ位置させて収容することで、上記左右の壁２３Ａ、２３Ｂの上面２３Ａａ、２３Ｂａと、上記プラグ側端子２２の先部２２Ｂの上面２２Ｂａとの高さを揃え、上記プラグコネクタ２の上面２５全体を平坦な面として構成でき、
更に、上記プラグ受入溝１３に対して上記挿入壁２３が挿入されることで上記リセプタクルコネクタ１に対して上記プラグコネクタ２が嵌合接続された時、上記プラグコネクタ２のプラグハウジング２１がリセプタクルコネクタ１のハウジング中央部１１Ａの上面１１Ａａに当接すると共にプラグコネクタ２の挿入壁２３に形成された凹部Ａが上記リセプタクル側端子に一体に形成された係合片Ｂに係合す
　【００１８】
　次に、図１及び図２を参照して上記リセプタクルコネクタ１とプラグコネクタ２との接続について説明する。先ず、上記リセプタクルコネクタ１及びプラグコネクタ２は、一方のプリント回路基板１７及び他方のプリント回路基板２７にそれぞれ実装され、上記リセプタクルコネクタ１と一方のプリント回路基板１７とは機械的及び電気的に接続されていると共に、上記プラグコネクタ２と他方のプリント回路基板２７とは機械的及び電気的に接続されている。
　【００１９】
　次いで、上記リセプタクルコネクタ１とプラグコネクタ２とを接続するものであるが、この際、上記一方或いは他方のプリント回路基板１７、２７によって、上記リセプタクルコネクタ１及びプラグコネクタ２は見えない状態となる。そこで、上記リセプタクルコネクタ１及びプラグコネクタ２の何れか一方を、他方に対して滑らせる。つまり、上記リセプタクルコネクタ１の上面１５、及び上記プラグコネクタ２の上面２５が、互いに相手上面２５、１５に対する対向面となり、これらリセプタクルコネクタ１の上面１５とプラグコネクタ２の上面２５を接触させた状態で滑らせる（図１参照）。
　【００２０】
　そして、上記リセプタクルコネクタ１及びプラグコネクタ２の何れか一方を他方に対して滑らせると、上記リセプタクルコネクタ１のロの字状のプラグ受入溝１３と、プラグコネクタ２のロの字状の挿入壁２３とが合った所でのみ、上記プラグ受入溝１３に対して挿入壁２３が挿入され、上記リセプタクルコネクタ１に対してプラグコネクタ２が嵌合される（図２参照）。
　【００２１】
　上記リセプタクルコネクタ１とプラグコネクタ２との嵌合接続の際、上記リセプタクルコネクタ１及びプラグコネクタ２の対向面を滑らせて嵌合することにより、接続作業が容易且つ早く行なえるものである。そして、上記リセプタクルコネクタ１に対してプラグコネクタ２が嵌合された状態では、上記リセプタクル側端子１２とプラグ側端子２２とが機械的及び電気的に接続され、上記リセプタクルコネクタ１及びプラグコネクタ２が機械的及び電気的に接続されると共に、上記一方及び他方のプリント回路基板１７、２７が電気的に接続されるものである。
　【００２２】
　ここで、例えば上記リセプタクルコネクタ１のハウジング中央部１１Ａが存在しない状態、つまり上記プラグ受入溝１３が長方体状の溝である場合を考えると、上記リセプタクルコネクタ１とプラグコネクタ２とを滑らせたとき、上記リセプタクルコネクタ１に対してプラグコネクタ２が斜め方向から嵌ることもあり、リセプタクル側端子１２或いはプラグ側端子２２が変形、破損してしまう危険性があるものである。また、例えば上記プラグ受入溝１３の前後の受入溝１３Ｃ、１３Ｄが存在しない状態、つまり上記プラグ受入溝１３が左右の受入溝１３Ａ、１３Ｂのみから成る場合、及び、上記挿入壁２３の前後の壁２３Ｃ、２３Ｄが存在しない状態、つまり上記挿入壁２３が左右の壁２３Ａ、２３Ｂのみから成る場合を考えると、上記リセプタクルコネクタ１とプラグコネクタ２とを滑らせたとき、上記プラグコネクタ２の左右の壁２３Ａ、２３Ｂの何れか一方のみが上記リセプタクルコネクタ１の左右の受入溝１３Ａ、１３Ｂの何れか一方に嵌ってしまい、良好な接続ができない危険性があるものである。即ち、上記リセプタクルコネクタ１のロの字状のプラグ受入溝１３及びプラグコネクタ２のロの字状の挿入壁２３は、互いに合った状態でのみ嵌合し、その嵌合する際も、上記リセプタクルコネクタ１の上面１５とプラグコネクタ２の上面２５とが平行となる状態で、上記挿入壁２３がプラグ受入溝１３に対してまっすぐに入っていき、リセプタクルコネクタ１及びプラグコネクタ２の接続が良好に行なわれ、
更に、上記プラグ受入溝１３に対して上記挿入壁２３が挿入されることで上記リセプタクルコネクタ１に対して上記プラグコネクタ２が嵌合接続された時、上記プラグコネクタ２のプラグハウジング２１がリセプタクルコネクタ１のハウジング中央部１１Ａの上面１１Ａａに当接すると共にプラグコネクタ２の挿入壁２３に形成された凹部Ａが上記リセプタクル側端子に一体に形成された係合片Ｂに係合す
　【００２３】
　尚、上記実施例では、上記リセプタクルコネクタ１のプラグ受入溝１３をロの字状に形成すると共に、上記プラグコネクタ２の挿入壁２３をロの字状に形成する例を述べたが、この他に上記リセプタクルコネクタ１のプラグ受入溝１３をＯの字状に形成すると共に、上記プラグコネクタ２の挿入壁２３をＯの字状に形成しても良い。
　【００２４】
　【発明の効果】
　以上詳述した如く、本発明は上記リセプタクルコネクタにロの字状のプラグ受入溝を形成し、上記プラグコネクタに対して対向面と成す上面を段や凹凸のない平坦な面に形成したと共に、上記プラグコネクタにロの字状の挿入壁を形成し、上記リセプタクルコネクタに対して対向面と成す上面を段や凹凸のない平坦な面に形成したことにより、上記リセプタクルコネクタ及びプラグコネクタが一方及び他方のプリント回路基板に実装されている状態から上記リセプタクルコネクタ及びプラグコネクタを嵌合接続する際に、上記一方或いは他方のプリント回路基板によって上記リセプタクルコネクタ及びプラグコネクタが見えない状態であっても、上記リセプタクルコネクタ及びプラグコネクタのそれぞれの対向面、つまりそれぞれの上面を互いに接触させた状態から滑らせるだけで、上記プラグ受入溝に対して上記挿入壁が嵌り、容易に接続作業が行なえ、嵌合作業の能率を良くすることができる。
【図面の簡単な説明】
　【図１】
　本発明の実施例で示したプリント回路基板用コネクタの滑り状態を示した端面図である。
　【図２】
　本発明の実施例で示したプリント回路基板用コネクタの嵌合接続状態を示した端面図である。
　【図３】
　本発明の実施例で示したプリント回路基板用コネクタのリセプタクルコネクタの平面図である。
　【図４】
　本発明の実施例で示したプリント回路基板用コネクタのリセプタクルコネクタの側面図である。
　【図５】
　本発明の実施例で示したプリント回路基板用コネクタのリセプタクルコネクタの背面図である。
　【図６】
　本発明の実施例で示したプリント回路基板用コネクタのリセプタクルコネクタの図４のＡ−Ａ線に沿った断面図である。
　【図７】
　本発明の実施例で示したプリント回路基板用コネクタのプラグコネクタの平面図である。
　【図８】
　本発明の実施例で示したプリント回路基板用コネクタのプラグコネクタの側面図である。
　【図９】
　本発明の実施例で示したプリント回路基板用コネクタのプラグコネクタの背面図である。
　【図１０】
　本発明の実施例で示したプリント回路基板用コネクタのプラグコネクタの図８のＢ−Ｂ線に沿った断面図である。
　【符号の説明】
　１　リセプタクルコネクタ
　２　プラグコネクタ
１１　リセプタクル側ハウジング
１２　リセプタクル側端子
１３　プラグ受入溝
１５　リセプタクルコネクタの上面
１７　一方のプリント回路基板
２１　プラグ側ハウジング
２２　プラグ側端子
２３　挿入壁
２５　プラグコネクタの上面
２７　他方のプリント回路基板
【図面】